(57)【特許請求の範囲】
【請求項１】
情報再生装置に装着され、記録されている情報が再生される情報記録媒体において、
自分または前記情報再生装置を識別するためのバーコードが記録されているシールであって、上層部と下層部とからなり、前記上層部を剥がすことで前記バーコードを変更可能なシールを備え、
前記バーコードは、少なくとも一度、前記情報再生装置に装着されて、前記上層部のバーコードのデータが装着された前記情報再生装置に記憶されたか否かの履歴情報を示す
ことを特徴とする情報記録媒体。
【請求項２】
前記シールの前記上層部の一部が、引き剥がし可能とされる
ことを特徴とする請求項１に記載の情報記録媒体。
【請求項３】
前記シールが、自分の回転軸を中心とした円環状とされている
ことを特徴とする請求項１に記載の情報記録媒体。
【請求項４】
情報記録媒体に記録されている情報を再生する情報再生装置において、
前記情報記録媒体に貼付されているシールであって、上層部と下層部とからなり、前記上層部を剥がすことでバーコードを変更可能なシールに記録されている前記バーコードを読み取る読み取り手段と、
読み取りの結果から、読み取った前記バーコードが前記上層部のものであるか否かを判定する第１の判定手段と、
読み取った前記バーコードが前記上層部のものであると判定された場合、読み取った前記バーコードのデータを記憶する記憶手段と、
読み取った前記バーコードが前記上層部のものでないと判定された場合、記憶されている前記バーコードのデータと前記バーコードの読み取りの結果とが同一であるか否かを判定する第２の判定手段と、
記憶されている前記バーコードのデータと前記バーコードの読み取りの結果とが同一であると判定された場合、前記情報記録媒体に記録されている情報を再生させるように、前記情報記録媒体に記録されている情報の再生を制御する再生制御手段と
を備えることを特徴とする情報再生装置。
【請求項５】
前記読み取り手段は、前記上層部の一部が引き剥がし可能とされる前記シールから、前記上層部の一部が引き剥がされていない場合、前記上層部のバーコードを読み取り、前記上層部の一部が引き剥がされている場合、前記上層部のバーコードの一部と前記下層部のバーコードとを読み取る
ことを特徴とする請求項４に記載の情報再生装置。
【請求項６】
前記記憶手段が前記バーコードのデータを記憶した場合、前記シールから前記上層部を引き剥がして、前記情報記録媒体を再度装着すべき旨のメッセージの表示を制御する表示制御手段をさらに備える
ことを特徴とする請求項４に記載の情報再生装置。
【請求項７】
前記再生制御手段は、前記シールに切れ目が存在する場合、前記情報記録媒体に記録されている情報の再生を抑制するように、前記情報記録媒体に記録されている情報の再生を制御する
ことを特徴とする請求項４に記載の情報再生装置。
【請求項８】
情報記録媒体に記録されている情報を再生する情報再生装置の情報再生方法において、
前記情報記録媒体に貼付されているシールであって、上層部と下層部とからなり、前記上層部を剥がすことでバーコードを変更可能なシールに記録されている、前記情報記録媒体または前記情報再生装置を識別するバーコードを読み取る読み取りステップと、
読み取りの結果から、読み取った前記バーコードが前記上層部のものであるか否かを判定する第１の判定ステップと、
読み取った前記バーコードが前記上層部のものであると判定された場合、読み取った前記バーコードのデータを記憶する記憶ステップと、
読み取った前記バーコードが前記上層部のものでないと判定された場合、記憶されている前記バーコードのデータと前記バーコードの読み取りの結果とが同一であるか否かを判定する第２の判定ステップと、
記憶されている前記バーコードのデータと前記バーコードの読み取りの結果とが同一であると判定された場合、前記情報記録媒体に記録されている情報を再生させるように、前記情報記録媒体に記録されている情報の再生を制御する再生制御ステップと
を含むことを特徴とする情報再生方法。
【請求項９】
情報記録媒体に記録されている情報を再生する情報再生装置に、
前記情報記録媒体に貼付されているシールであって、上層部と下層部とからなり、前記上層部を剥がすことでバーコードを変更可能なシールに記録されている、前記情報記録媒体または前記情報再生装置を識別するバーコードの読み取りを制御する読み取り制御ステップと、
読み取りの結果から、読み取った前記バーコードが前記上層部のものであるか否かを判定する第１の判定ステップと、
読み取った前記バーコードが前記上層部のものであると判定された場合、読み取った前記バーコードのデータを記憶する記憶ステップと、
読み取った前記バーコードが前記上層部のものでないと判定された場合、記憶されている前記バーコードのデータと前記バーコードの読み取りの結果とが同一であるか否かを判定する第２の判定ステップと、
記憶されている前記バーコードのデータと前記バーコードの読み取りの結果とが同一であると判定された場合、前記情報記録媒体に記録されている情報を再生させるように、前記情報記録媒体に記録されている情報の再生を制御する再生制御ステップと
を含む処理を実行させるコンピュータが読み取り可能なプログラムを記録していることを特徴とする記録媒体。
【発明の詳細な説明】
【０００１】
【発明の属する技術分野】
本発明は、情報記録媒体、情報再生装置および方法、並びに記録媒体に関し、特に、情報記録媒体に対応した所定の装置でのみ情報記録媒体に記録した情報を利用できるようにした情報記録媒体、情報再生装置および方法、並びに記録媒体に関する。
【０００２】
【従来の技術】
デジタルビデオテープおよびデジタルバーサタイルディスク(DVD:Digital Versatile Disc)などは、画像および音声の信号を、符号化して記録する。デジタルビデオテープレコーダまたはDVDレコーダを利用して、デジタルビデオテープまたはDVDに記録された内容を、他のデジタルビデオテープまたはDVD-R(Digital Versatile Disc Recordable)にコピーしても、そのコピーされた画像および音声は、コピー元の画像および音声と比較し、ほとんど劣化しない。
【０００３】
CD-ROM(Compact Disc Read Only Memory)に記録されたプログラムをCD-R(Compact Disc Recordable)やCD-RW(Compact Disc Rewritable)にコピーする場合も、プログラムの内容は劣化しない。
【０００４】
このように、正当な権原なく画像および音声、またはプログラムをコピーしたデジタルビデオテープ、DVD-R、CD-R、またはCD-RWを、他の者に譲渡することは、著作権者の権利侵害にあたる。
【０００５】
そこで、コピーによる著作権の侵害を防止するため、予め暗号化した内容をDVDまたはCDなどの情報記録媒体に記録し、所定の料金を支払った使用者にのみ、通信回線を介して暗号解読キーを渡し、所定の料金を支払った使用者のみが、その情報記録媒体に記録された内容を利用できるシステムが、提案されている。
【０００６】
【発明が解決しようとする課題】
しかしながら、暗号化した内容を記録したDVDまたはCDなどの情報記録媒体においても、使用者が内容をコピーした情報記録媒体とともに、暗号解読キーを、他の使用者に渡した場合、他の使用者は、正規に所定の料金を支払った場合と同様に、情報記録媒体に記録された内容を利用することができる。
【０００７】
本発明はこのような状況に鑑みてなされたものであり、デジタルビデオテープ、DVD、DVD-R、CD-R、またはCD-RWなどの情報記録媒体に対応した所定の情報記録再生装置でのみ情報記録媒体に記録された情報を利用できるようにし、より確実にコピーを保護できるようにすることを目的とする。
【０００８】
【課題を解決するための手段】
請求項１に記載の情報記録媒体は、自分または情報再生装置を識別するためのバーコードが記録されているシールであって、上層部と下層部とからなり、上層部を剥がすことでバーコードを変更可能なシールを備え、バーコードは、少なくとも一度、情報再生装置に装着されて、上層部のバーコードのデータが装着された情報再生装置に記憶されたか否かの履歴情報を示すことを特徴とする。
【０００９】
請求項４に記載の情報再生装置は、情報記録媒体に貼付されているシールであって、上層部と下層部とからなり、上層部を剥がすことでバーコードを変更可能なシールに記録されているバーコードを読み取る読み取り手段と、読み取りの結果から、読み取ったバーコードが上層部のものであるか否かを判定する第１の判定手段と、読み取ったバーコードが上層部のものであると判定された場合、読み取ったバーコードのデータを記憶する記憶手段と、読み取ったバーコードが上層部のものでないと判定された場合、記憶されているバーコードのデータとバーコードの読み取りの結果とが同一であるか否かを判定する第２の判定手段と、記憶されているバーコードのデータとバーコードの読み取りの結果とが同一であると判定された場合、情報記録媒体に記録されている情報を再生させるように、情報記録媒体に記録されている情報の再生を制御する再生制御手段とを備えることを特徴とする。
【００１０】
請求項８に記載の情報再生方法は、情報記録媒体に貼付されているシールであって、上層部と下層部とからなり、上層部を剥がすことでバーコードを変更可能なシールに記録されている、情報記録媒体または情報再生装置を識別するバーコードを読み取る読み取りステップと、読み取りの結果から、読み取ったバーコードが上層部のものであるか否かを判定する第１の判定ステップと、読み取ったバーコードが上層部のものであると判定された場合、読み取ったバーコードのデータを記憶する記憶ステップと、読み取ったバーコードが上層部のものでないと判定された場合、記憶されているバーコードのデータとバーコードの読み取りの結果とが同一であるか否かを判定する第２の判定ステップと、記憶されているバーコードのデータとバーコードの読み取りの結果とが同一であると判定された場合、情報記録媒体に記録されている情報を再生させるように、情報記録媒体に記録されている情報の再生を制御する再生制御ステップとを含むことを特徴とする。
【００１１】
請求項９に記載の記録媒体のプログラムは、情報再生装置に、情報記録媒体に貼付されているシールであって、上層部と下層部とからなり、上層部を剥がすことでバーコードを変更可能なシールに記録されている、情報記録媒体または情報再生装置を識別するバーコードの読み取りを制御する読み取り制御ステップと、読み取りの結果から、読み取ったバーコードが上層部のものであるか否かを判定する第１の判定ステップと、読み取ったバーコードが上層部のものであると判定された場合、読み取ったバーコードのデータを記憶する記憶ステップと、読み取ったバーコードが上層部のものでないと判定された場合、記憶されているバーコードのデータとバーコードの読み取りの結果とが同一であるか否かを判定する第２の判定ステップと、記憶されているバーコードのデータとバーコードの読み取りの結果とが同一であると判定された場合、情報記録媒体に記録されている情報を再生させるように、情報記録媒体に記録されている情報の再生を制御する再生制御ステップとを含む処理を実行させる。
【００２６】
請求項１に記載の情報記録媒体においては、自分または情報再生装置を識別するためのバーコードが記録されているシールであって、上層部と下層部とからなり、上層部を剥がすことでバーコードを変更可能なシールが備えられ、バーコードにより、少なくとも一度、情報再生装置に装着されて、上層部のバーコードのデータが装着された情報再生装置に記憶されたか否かの履歴情報が示される。
【００２７】
請求項４に記載の情報再生装置、請求項８に記載の情報再生方法、および請求項９に記載の記録媒体においては、情報記録媒体に貼付されているシールであって、上層部と下層部とからなり、上層部を剥がすことでバーコードを変更可能なシールに記録されている、情報記録媒体または情報再生装置を識別するバーコードが読み取られ、読み取りの結果から、読み取ったバーコードが上層部のものであるか否かが判定され、読み取ったバーコードが上層部のものであると判定された場合、読み取ったバーコードのデータが記憶され、読み取ったバーコードが上層部のものでないと判定された場合、記憶されているバーコードのデータとバーコードの読み取りの結果とが同一であるか否かが判定され、記憶されているバーコードのデータとバーコードの読み取りの結果とが同一であると判定された場合、情報記録媒体に記録されている情報を再生させるように、情報記録媒体に記録されている情報の再生が制御される。
【００３４】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００３５】
すなわち、請求項１に記載の情報記録媒体は、自分または情報再生装置を識別するためのバーコードが記録されているシールであって、上層部と下層部とからなり、上層部を剥がすことでバーコードを変更可能なシール（例えば、図１０のシール４１）を備え、バーコードは、少なくとも一度、情報再生装置に装着されて、上層部のバーコードのデータが装着された情報再生装置に記憶されたか否かの履歴情報を示すことを特徴とする。
【００３６】
請求項４に記載の情報再生装置は、情報記録媒体に貼付されているシールであって、上層部と下層部とからなり、上層部を剥がすことでバーコードを変更可能なシールに記録されている、情報記録媒体または自分を識別するためのバーコードを読み取る読み取り手段（例えば、図１２のシールデータ読み取り部３１）と、読み取りの結果から、読み取ったバーコードが上層部のものであるか否かを判定する第１の判定手段（例えば、ステップＳ７３を実行する図１２のCPU１１）と、読み取ったバーコードが上層部のものであると判定された場合、読み取ったバーコードのデータを記憶する記憶手段（例えば、図１２のEEPROM１８）と、読み取ったバーコードが上層部のものでないと判定された場合、記憶されているバーコードのデータとバーコードの読み取りの結果とが同一であるか否かを判定する第２の判定手段（例えば、ステップＳ７８を実行する図１２のCPU１１）と、記憶されているバーコードのデータとバーコードの読み取りの結果とが同一であると判定された場合、情報記録媒体に記録されている情報を再生させるように、情報記録媒体に記録されている情報の再生を制御する再生制御手段（例えば、ステップＳ７９を実行する図１２のCPU１１）とを備えることを特徴とする。
【００４３】
図１は、本発明の一実施の形態の構成を示す図である。DVDプレーヤ／レコーダ１は、ビデオ信号をモニタ２に供給し、オーディオ信号をスピーカ３に供給するようになされている。モニタ２は、DVDプレーヤ／レコーダ１から供給されたビデオ信号に基づき、画像を再生するようになされている。スピーカ３は、DVDプレーヤ／レコーダ１から供給されたオーディオ信号に基づき、音声を再生するようになされている。
【００４４】
図２は、DVDプレーヤ／レコーダ１のハードウェア構成を示す図である。CPU(Central Processing Unit)１１は、各種プログラムを実際に実行する。ROM(Read Only Memory)１２は、CPU１１が使用するプログラムや演算パラメータのうち基本的に固定のデータ、および、そのDVDプレーヤ／レコーダ１固有の装置ID(Identification code)が格納されている。RAM(Random Access Memory)１３は、CPU１１の実行において使用するプログラムや、その実行において適宜変化するパラメータを格納する。
【００４５】
記録再生部１４は、入力された信号を基に装着されたDVD（図３）に対してデータを記録、または再生する。LCD(Liquid Crystal Display)１６およびタッチパネル１７は、入出力インターフェース１５を介して内部バスに接続されている。LCD１６は、CPU１１から供給された表示データを表示する。タッチパネル１７は、使用者の操作に応じた信号を、入出力インターフェース１５を介してCPU１１に供給するようになされている。
【００４６】
CPU１１、ROM１２、RAM１３、記録再生部１４、および入出力インターフェース１５は、内部バスにより相互に接続されている。
【００４７】
図３は、DVDを説明する図である。DVD４は、パーシャルROM構造とされ、ビデオデータとオーディオデータが予め記録されている再生専用の領域以外の領域に、ディスク読み取り済みであることを示すデータ、またはDVDプレーヤ／レコーダ１の装置IDなどの所定のデータを書き込み可能な記録トラック２１を有する。記録トラック２１は、シアニン系色素またはフタロシアニン系色素などを用いて構成され、記録再生部１４のレーザ光によりその色素が熱分解され、さらに周りの樹脂との界面が変形することによりデータが記録される。また、DVD４は、他の所定の領域に、そのDVD４固有のディスクIDが記録されている。
【００４８】
図４は、DVDプレーヤ／レコーダ１にDVD４を装着したときに実行される、DVD４にDVDプレーヤ／レコーダ１の装置IDを記録する処理を説明するフローチャートである。ステップＳ１１において、CPU１１は、記録再生部１４を動作させ、DVDプレーヤ／レコーダ１に装着されたDVD４の記録トラック２１に記録されたデータを読み出し、DVD４の装置IDが記録済みのディスクであるか否かを判定し、DVD４の装置IDが記録済みのディスクではないと判定された場合、手続は、ステップＳ１２に進む。ステップＳ１２において、CPU１１は、記録再生部１４を動作させ、ディスク４の記録トラック２１に、ROM１２に格納された装置IDを書き込み、処理は終了する。
【００４９】
ステップＳ１１において、DVD４の装置IDが記録済みのディスクであると判定された場合、ステップＳ１２の処理はスキップされ、処理は終了する。これにより、DVD４に、装置IDが２重に記録されるようなことが防止される。
【００５０】
図５は、DVDプレーヤ／レコーダ１の再生の動作を説明するフローチャートである。ステップＳ２１において、CPU１１は、記録再生部１４を動作させ、DVD４の記録トラック２１に記録された装置IDを読み出す。ステップＳ２２において、CPU１１は、ROM１２に格納された装置IDが、ステップＳ２１にて読み出した装置IDと同一か否かを判定し、ROM１２に格納された装置IDが、ステップＳ２１にて読み出した装置IDと同一であると判定された場合、ステップＳ２３において、記録再生部１４に、DVD１４の再生を実行させ、処理は終了する。
【００５１】
ステップＳ２２において、ROM１２に格納された装置IDが、DVD４から読み出した装置IDと同一でないと判定された場合、ステップＳ２４において、CPU１１は、LCD１６に所定のエラーメッセージ（例えば、「このディスクは再生することができません」といったメッセージ）を表示させ、処理は終了する。
【００５２】
以上のようにすると、DVD４は、最初に装着したDVDプレーヤ／レコーダ１でのみ再生実行が可能となる。
【００５３】
図６は、DVDプレーヤ／レコーダ１の他のハードウェア構成を示す図である。図２における場合と対応する部分には同一の符号を付してあり、その説明は適宜省略する。ROM１２は、CPU１１が使用するプログラムや演算パラメータのうち基本的に固定のデータが格納されている。EEPROM(Electrically Erasable Programable Read Only Memory)１８は、ディスクIDなど、電源オフ後も保持する必要がある情報を格納する。
【００５４】
図７は、DVDプレーヤ／レコーダ１にDVD４を装着したときに実行される、DVDプレーヤ／レコーダ１にディスクIDを記録する処理を説明するフローチャートである。ステップＳ３１において、CPU１１は、記録再生部１４を動作させ、DVDプレーヤ／レコーダ１に装着されたDVD４の記録トラック２１に記録されたデータを読み出し、DVD４が読み取り済みのディスクであるか否かを判定し、DVD４が読み取り済みのディスクではないと判定された場合、手続は、ステップＳ３２に進む。ステップＳ３２において、CPU１１は、記録再生部１４を動作させ、DVD４の所定の領域（再生専用の領域）に記録されているディスクIDを読み出す。ステップＳ３３において、CPU１１は、読み出したディスクIDを、EEPROM１８に記憶させる。ステップＳ３４において、CPU１１は、記録再生部１４を動作させ、DVD４の記録トラック２１に、読み取り済みの（少なくとも１回再生された）ディスクであることを示すデータ（フラグ、あるいは、ディスクIDでもよい）を書き込み、処理は終了する。
【００５５】
ステップＳ３１において、DVD４が読み取り済みのディスクであると判定された場合、ステップＳ３２乃至Ｓ３４の処理はスキップされ、処理は終了する。これにより、DVD４の記録トラック２１への２重書き込みが防止されるとともに、少なくとも１回、再生されたDVD４のディスクIDが、他のDVDプレーヤ／レコーダ１のEEPROM１８に記憶されるのが防止される。
【００５６】
図８は、DVDプレーヤ／レコーダ１がDVD４に記録された情報を再生する処理を説明するフローチャートである。ステップＳ４１において、CPU１１は、記録再生部１４を動作させ、DVD４の所定の領域（再生専用領域）に記録されたディスクIDを読み出す。ステップＳ４２において、CPU１１は、ステップＳ４１にて読み出したディスクIDと同一のディスクIDがEEPROM１８に記録されているか否かを判定し、読み出したディスクIDと同一のディスクIDが記録されていると判定された場合、ステップＳ４３において、記録再生部１４に、DVD１４の再生を実行させ、処理は終了する。
【００５７】
ステップＳ４２において、読み出したディスクIDと同一のディスクIDがEEPROM１８に記憶されていないと判定された場合、ステップＳ４４において、CPU１１は、LCD１６にエラーメッセージを表示させ、処理は終了する。
【００５８】
以上のように、DVD４は、DVD４のディスクIDを記録した(DVD４を初めて装着した）DVDプレーヤ／レコーダ１でのみ、その記録された情報が利用できる。
【００５９】
図９は、DVDプレーヤ／レコーダ１の他のハードウェア構成を示す図である。図６における場合と対応する部分には同一の符号を付してあり、その説明は省略する。シールデータ読み取り部３１は、図１０で説明するDVD４に貼付されたシール４１の表面のバーコードのパターンを読み取り、データを出力する。
【００６０】
図１０は、他のDVD４を説明する図である。このDVD４には、DVD４の回転軸を中心とした円環状のシール４１が貼付られている。DVDプレーヤ／レコーダ１の使用者は、DVD４の購入のときに、DVDプレーヤ／レコーダ１の装置IDを、DVD４の販売店に通知する（メモリカードなどに装置IDを記録して、通知するようにしてもよい）。販売店は、DVDプレーヤ／レコーダ１の装置IDに対応するバーコードが印刷されたシール４１をDVD４に貼付け、DVDプレーヤ／レコーダ１の使用者に引き渡す。シール４１は、一度剥がすと、再度、DVD４に貼付できないようになされている。
【００６１】
図１１は、DVDプレーヤ／レコーダ１が、シール４１が貼付られたDVD４を再生する処理を説明するフローチャートである。ステップＳ５１において、CPU１１は、DVDプレーヤ／レコーダ１の記録再生部１４に、DVD４が装着されているか否かを判定し、DVD４が装着されていないと判定された場合、ステップＳ５１に戻り、DVD４が装着されるまで処理を繰り返す。
【００６２】
ステップＳ５１において、DVD４が装着されていると判定された場合、ステップＳ５２に進み、シールデータ読み取り部３１は、シール４１のバーコードを読み取り、その結果をCPU１１に送る。ステップＳ５３において、CPU１１は、シール４１のバーコードと同一のデータが、ROM１２に記録されているか否かを判定し、シール４１のバーコードと同一のデータが、ROM１２に記録されていると判定された場合、手続は、ステップＳ５４に進み、記録再生部１４は、再生を実行し、処理は終了する。
【００６３】
ステップＳ５３において、シール４１のバーコードと同一のデータが、ROM１２に記録されていないと判定された場合、手続は、ステップＳ５５に進み、CPU１１は、LCD１６に所定のエラーメッセージを表示させ、処理は終了する。
【００６４】
このように、DVD４は、シール４１のバーコードに対応した装置IDを有するDVDプレーヤ／レコーダ１以外のDVDプレーヤ／レコーダ１では再生することができない。
【００６５】
図１２は、DVDプレーヤ／レコーダ１の他のハードウェア構成を示す図である。図６における場合と対応する部分には同一の符号を付してあり、その説明は適宜省略する。シールデータ読み取り部３１は、後述する図１３のDVD４に貼付されたシール４１の表面に印刷されたバーコードのパターンを読み取り、データを出力する。
【００６６】
図１３は、図１２のDVDプレーヤ／レコーダ１で再生するDVD４に貼付られたシール４１の構造を説明する図である。図１３のシール４１は、図１０の場合と同様に、DVDプレーヤ／レコーダ１の装置IDに対応するバーコードが印刷され、販売店によりDVD４に貼付られる。図１３（Ａ）に示すように、シール４１は、DVD４に接着された下層部５２と、その上に、一部が使用者により引き剥がし可能なように貼付された上層部５１から構成される。上層部５１は、一度剥がすと、再度、下層部５２に貼付できないようになされている。図１３（Ｂ）は、上層部５１の一部を引き剥がす前のシール４１のバーコードのパターンを表す図である。シール４１の表面には、上層部５１の左半分５１ＬのパターンＰ１、および上層部５１の右半分のパターンＰ２が表れる。
【００６７】
図１３（Ｃ）は、上層部５１の一部を引き剥がした状態を説明する図である。上層部５１を引き剥がすと、上層部５１は、所定の切れ目５３の位置で切れるようになされている。この状態では、シール４１の表面には、上層部５１の左半分５１ＬのパターンＰ１、および下層部５２の右半分のパターンＰ３が表れる。DVDプレーヤ／レコーダ１のシールデータ読み取り部３１は、上層部５１または下層部５２の表面のパターンを読み取り、パターンに対応したデータを出力する。
【００６８】
図１４は、DVDプレーヤ／レコーダ１が、上層部５１および下層部５２からなるシール４１が貼付られたDVD４を再生する処理を説明するフローチャートである。ステップＳ７１において、DVDプレーヤ／レコーダ１の記録再生部１４は、DVD４が装着されているか否かを判定し、DVD４が装着されていないと判定された場合、ステップＳ７１に戻り、DVD４が装着されるまで処理を繰り返す。
【００６９】
ステップＳ７１において、DVD４が装着されていると判定された場合、ステップＳ７２に進み、シールデータ読み取り部３１は、シール４１のデータを読み取り、CPU１１に送る。ステップＳ７３において、CPU１１は、ステップ７２において読み取られたデータが上層部５１のデータであるか否かを判定し、上層部５１のデータであると判定された場合、ステップＳ７４に進む。ステップＳ７４において、CPU１１は、シールデータ読み取り部３１が、シール４１の切れ目５３を検出したか否かを判定し、シール４１の切れ目５３が検出されていないと判定された場合、手続は、ステップＳ７５に進む。
【００７０】
ステップＳ７５において、シールデータ読み取り部３１は、上層部５１の表面に印刷されたパターン（パターンＰ１およびパターンＰ２）を読み出し、対応するデータをEEPROM１８に記憶させる。ステップＳ７６において、記録再生部１４は、DVD４を排出する。ステップＳ７７において、CPU１１は、LCD１６に、シール４１の上層部５１を剥がし、再度装着すべきことを示すメッセージを表示し、手続は、ステップＳ７１に戻る。
【００７１】
ユーザが、このメッセージに従って、上層部５１を剥がしてDVD４を再度装着すると、ステップＳ７２でシールデータ読み取り部３１により、下層部５２のパターンＰ３が読み取られる。その結果、ステップＳ７３において、読み取られたパターンは、上層部５１のパターンＰ１，Ｐ２ではないと判定され、ステップＳ７８に進み、CPU１１は、ステップＳ７２において読み出した上層部５１のパターンＰ１および下層部５２のパターンＰ３に対応するデータと同一のデータが、EEPROM１８に記録されているか否かを判定し、上層部５１のパターンＰ１および下層部５２のパターンＰ３に対応するデータと同一のデータが、EEPROM１８に記録されていると判定された場合、手続は、ステップＳ７９に進み、記録再生部１４は、再生を実行し、処理は終了する。
【００７２】
ステップＳ７８において、上層部５１のパターンＰ１および下層部５２のパターンＰ３に対応するデータと同一のデータが、EEPROM１８に記録されていないと判定された場合、並びに、ステップＳ７４で、シール４１に切れ目５３が存在すると判定された場合（ユーザが、一度剥がしたシール４１を、再度貼付したような場合）、手続は、ステップＳ８０に進み、CPU１１は、LCD１６に所定のエラーメッセージを表示し、処理は終了する。
【００７３】
以上のように、DVD４は、DVD４のシール４１の上層部５１のパターンＰ１およびパターンＰ２に対応するデータを記録した所定のDVDプレーヤ／レコーダ１以外のDVDプレーヤ／レコーダ１では再生することができない。また、DVDプレーヤ／レコーダ１は、シール４１の上層部５１の付いたDVD４を再生しない。
【００７４】
図１５は、DVDプレーヤ／レコーダ１の他のハードウェア構成を示す図である。図２における場合と対応する部分には同一の符号を付してあり、その説明は適宜省略する。脱着自在なRAMカード１０は、RAMカードインターフェース３２を介して、内部バスに接続されている。DVDプレーヤ／レコーダ１の使用者は、DVD４の購入のときに、DVDプレーヤ／レコーダ１の装置IDを、DVD４の販売店に通知する。販売店は、購入するDVD４のディスクIDとDVDプレーヤ／レコーダ１の装置IDをRAMカード１０に記録し、RAMカード１０をDVD４と共に、DVDプレーヤ／レコーダ１の使用者(DVD４の購入者）に引き渡す。
【００７５】
DVDプレーヤ／レコーダ１の使用者は、DVD４の再生のとき、DVD４に対応するRAMカード１０（DVD４のディスクIDとDVDプレーヤ／レコーダ１の装置IDが記録されたRAMカード１０）をDVDプレーヤ／レコーダ１に装着して、再生を実行する。DVDプレーヤ／レコーダ１は、RAMカード１０に記憶されたディスクIDとDVD４のディスクIDが一致し、かつ、RAMカード１０に記憶された装置IDとDVDプレーヤ／レコーダ１の装置IDが一致したときのみ、再生を実行し、それ以外の場合、エラーメッセージをLCD１６に表示して再生を実行しない。
【００７６】
このように、DVD４は、RAMカード１０に記憶された装置IDを有するDVDプレーヤ／レコーダ１以外のDVDプレーヤ／レコーダ１では再生することができない。
【００７７】
図１６は、本発明の他の一実施の形態の構成を示す図である。DVDプレーヤ９１は、ビデオ信号をモニタ９２に供給し、オーディオ信号をスピーカ９３に供給するようになされている。モニタ９２は、DVDプレーヤ９１から供給されたビデオ信号に基づき、画像を再生するようになされている。スピーカ９３は、DVDプレーヤ９１から供給されたオーディオ信号に基づき、音声を再生するようになされている。
【００７８】
DVDプレーヤ９１およびDVDプレーヤ／レコーダ１は、IEEE1394シリアルバス８１により接続されている。
【００７９】
図１７は、DVDプレーヤ９１のハードウェア構成を示す図である。各部に１００番台の符号を付してあるその基本的な構成は、図２のDVDプレーヤ／レコーダ１と同様であり、図２における場合と対応する部分には、下２桁に図２の場合と同一の符号を付してあり、その説明は適宜省略する。再生部１６２は、装着されたDVD４に記録されたデータを再生する。IEEE1394インターフェース１６１は、IEEE1394シリアルバス８１が接続されるIEEE1394に準拠した入出力インターフェースである。再生部１６２、IEEE1394インターフェース１６１、CPU１１１、ROM１１２、RAM１１３、および入出力インターフェース１１５は、内部バスにより相互に接続されている。
【００８０】
図１８は、DVDプレーヤ／レコーダ１のハードウェア構成を示す図である。図２における場合と対応する部分には同一の符号を付してあり、その説明は適宜省略する。内部バスに接続されているIEEE1394インターフェース６１は、IEEE1394シリアルバス８１が接続されるIEEE1394に準拠した入出力インターフェースである。その他の構成は、図２における場合と同様である。
【００８１】
図１９は、DVDプレーヤ９１に装着されたDVD４に記録されている内容を、DVDプレーヤ／レコーダ１に装着された記録可能なDVD４に記録するときの、DVDプレーヤ／レコーダ１の動作を説明するフローチャートである。ステップＳ８１において、記録再生部１４は、DVDプレーヤ／レコーダ１に装着された記録用のDVD４の所定の領域のデータを読み出し、装置IDが記録済みのDVD４であるか否かを判定し、装置IDが記録済みのDVD４でないと判定された場合、ステップＳ８２に進む。ステップＳ８２において、CPU１１は、記録再生部１４を動作させ、ROM１２に格納された装置IDを、装着された記録用のDVD４の所定の領域に記録させる。ステップＳ８３において、記録再生部１４は、IEEE1394シリアルバス８１を介してIEEE1394インターフェース６１が受信した、DVDプレーヤ９１に装着されたDVD４に記録されたデータを、DVDプレーヤ／レコーダ１に装着されたDVD４に記録し、処理を終了する。
【００８２】
ステップＳ８１において、装置IDが記録済みのDVD４であると判定された場合、手続は、ステップＳ８４に進む。ステップＳ８４において、CPU１１は、DVDプレーヤ／レコーダ１に装着された記録用のDVD４の所定の領域に記録された装置IDと、ROM１２に格納された装置IDが同一であるか否かを判定し、DVD４の所定の領域に記録された装置IDと、ROM１２に格納された装置IDが同一であると判定された場合、手続はステップＳ８３に進む。
【００８３】
ステップＳ８４において、DVD４の所定の領域に記録された装置IDと、ROM１２に格納された装置IDが同一でないと判定された場合、手続はステップＳ８５に進み、CPU１１は、LCD１６にエラーメッセージを表示させ、処理を終了する。
【００８４】
図１９の処理によりデータが記録されたDVD４は、図５に示した再生処理を実行することにより、そのデータを記録したDVDプレーヤ／レコーダ１では、再生が実行されるが、そのデータを記録したDVDプレーヤ／レコーダ１以外のDVDプレーヤ／レコーダでは再生が実行されない。更に、DVDプレーヤ／レコーダ１は、装着されたDVD４が、既に、装置IDを記録されている場合、ROM１２に格納した装置IDとDVD４に記録された装置IDが一致しなければ、記録を実行しない。
【００８５】
図２０は、図１８のDVDプレーヤ／レコーダ１がDVD４をフォーマットするときの処理を説明するフローチャートである。ステップＳ９１において、記録再生部１４は、装着されたDVD４のフォーマットを実行する。ステップＳ９２において、CPU１１は、記録再生部１４を動作させ、ROM１２に記憶された装置IDを、DVD４に記録し、処理は終了する。
【００８６】
図２０の処理によりフォーマットされたDVD４は、図５の再生処理を実行することによりフォーマットを実行したDVDプレーヤ／レコーダ１では、再生が実行されるが、フォーマットを実行したDVDプレーヤ／レコーダ１以外のDVDプレーヤ／レコーダでは再生が実行されない。
【００８７】
図２１は、図１６における、他のDVDプレーヤ／レコーダ１のハードウェア構成を示す図である。図６における場合と対応する部分には同一の符号を付してあり、その説明は適宜省略する。IEEE1394インターフェース６１は、IEEE1394シリアルバス８１が接続されるIEEE1394に準拠した入出力インターフェースである。その他の構成は、図６における場合と同様である。
【００８８】
図２２は、DVDプレーヤ９１に装着されたDVD４に記録された内容を伝送し、図２１のDVDプレーヤ／レコーダ１に装着された記録用のDVD４に記録するときの、DVDプレーヤ９１の処理を説明するフローチャートである。ステップＳ１０１において、DVDプレーヤ９１の再生部１６２は、装着されたDVD４のディスクIDを読み出し、そのディスクIDをCPU１１１に送る。ステップＳ１０２において、CPU１１１は、再生部１６２から送られたディスクIDを基に、所定の計算式に基づいて、記録用ディスクIDを算出する。ステップＳ１０３において、IEEE1394インターフェース１６１は、ステップＳ１０２にて算出された記録用ディスクIDを、IEEE1394シリアルバス８１を介して、DVDプレーヤ／レコーダ１に送信する。ステップＳ１０４において、IEEE1394インターフェース１６１は、再生部１６２が読み取ったDVD４のデータを、IEEE1394シリアルバス８１を介して、DVDプレーヤ／レコーダ１に送信する。
【００８９】
図２３は、DVDプレーヤ９１から伝送された内容を、図２１のDVDプレーヤ／レコーダ１に装着された記録用のDVD４に記録するときの、DVDプレーヤ／レコーダ１の処理を説明するフローチャートである。ステップＳ１１１において、DVDプレーヤ／レコーダ１のIEEE1394インターフェース６１は、IEEE1394シリアルバス８１を介して、送信された記録用ディスクIDを受信し、CPU１１に送る。ステップＳ１１２において、CPU１１は、記録用ディスクIDを、EEPROM１８に記録する。ステップＳ１１３において、CPU１１は、記録再生部１４を動作させ、装着されたDVD４の所定の領域に記録用ディスクIDを記録する。ステップＳ１１４において、記録再生部１４は、IEEE1394シリアルバス８１を介してIEEE1394インターフェース６１が受信したDVDプレーヤ９１に装着されたDVD４に記録されたデータを、DVDプレーヤ／レコーダ１に装着されたDVD４に記録する。
【００９０】
図２３の処理によりデータを記録されたDVD４は、図８の再生処理を実行することにより、そのデータを記録したDVDプレーヤ／レコーダ１では、再生が実行されるが、それ以外のDVDプレーヤ／レコーダ１では再生が実行されない。
【００９１】
以上のように、DVD４は、対応した所定のDVDプレーヤ／レコーダ１またはDVDプレーヤ／レコーダ１でのみ情報の再生が可能になる。
【００９２】
なお、DVDプレーヤ／レコーダ１、DVDプレーヤ９１、またはDVDプレーヤ／レコーダ１は、使用者固有のIDを書き込みできるようにし、本明細書中の装置IDと同じ役割をなすようにしてもよい。
【００９３】
また、図３のDVD４の記録トラック２１は、ディスクIDが読み取られていないことを示す所定のデータを予め記録しておき、図７のステップＳ３４において、DVDプレーヤ／レコーダ１は、DVD４の記録トラック２１に記録された所定のデータを消去するようにしてもよい。
【００９４】
更に、図６、図９、および図２１のEEPROM１８は、DVDプレーヤ／レコーダ１またはDVDプレーヤ／レコーダ１から取り外し可能なRAMカードとしてもよい。
【００９５】
図１０のシール４１は、ドーナッツ形状として説明したが、矩形のバーコードを印刷したシールで、DVD４の所定の位置に貼付してもよい。また、バーコードは、DVD４に直接印刷してもよい。
【００９６】
なお、図１９のDVDプレーヤ／レコーダ１の受信データ記録処理において、DVDプレーヤ９１は、ROM１２に記録された装置IDを、DVDプレーヤ／レコーダ１に送信し、DVDプレーヤ／レコーダ１は、ステップＳ８２において、装着された記録用のDVD４の所定の領域に、受信したDVDプレーヤ９１の装置IDを記録する処理を行ってもよい。
【００９７】
また、図２２のステップＳ１０２において、CPU１１は、再生部６２から送られたディスクIDを基に、記録用ディスクIDを算出するとして説明したが、再生部６２から送られたディスクIDとは独立の算出式に基づいて、記録用ディスクIDを算出してもよい。
【００９８】
更に、図１６乃至図２３において、データの供給は、DVDプレーヤ９１として説明したが、所定のデータを供給できれば、磁気ディスク、CD-ROM、固体メモリなどの記録媒体の他、コンピュータネットワーク、衛星通信、地上波通信、電話回線などの通信媒体を介してもよい。
【００９９】
本明細書において、データを記録する媒体は、DVD４として説明したが、他のデータを記録する光ディスク、磁気テープ、磁気ディスク、または半導体メモリなどの固体メモリでもよい。
【０１００】
また、上記したような処理を行うコンピュータプログラムをユーザに提供する提供媒体としては、磁気ディスク、CD-ROM、固体メモリなどの記録媒体の他、ネットワーク、衛星などの通信媒体を利用することができる。
【０１０１】
【発明の効果】
請求項１に記載の情報記録媒体によれば、自分または情報再生装置を識別するためのバーコードが記録されているシールであって、上層部と下層部とからなり、上層部を剥がすことでバーコードを変更可能なシールが備えられ、バーコードにより、少なくとも一度、情報再生装置に装着されて、上層部のバーコードのデータが装着された情報再生装置に記憶されたか否かの履歴情報が示されるようにしたので、特定の情報再生装置でのみ情報を再生することが可能になる。
【０１０２】
請求項４に記載の情報再生装置、請求項８に記載の情報再生方法、および請求項９に記載の記録媒体によれば、情報記録媒体に貼付されているシールであって、上層部と下層部とからなり、上層部を剥がすことでバーコードを変更可能なシールに記録されている、情報記録媒体または情報再生装置を識別するバーコードが読み取られ、読み取りの結果から、読み取ったバーコードが上層部のものであるか否かが判定され、読み取ったバーコードが上層部のものであると判定された場合、読み取ったバーコードのデータが記憶され、読み取ったバーコードが上層部のものでないと判定された場合、記憶されているバーコードのデータとバーコードの読み取りの結果とが同一であるか否かが判定され、記憶されているバーコードのデータとバーコードの読み取りの結果とが同一であると判定された場合、情報記録媒体に記録されている情報を再生させるように、情報記録媒体に記録されている情報の再生が制御されるようにしたので、情報記録媒体に対応した特定の情報再生装置でのみ情報を再生することが可能になる。
【図面の簡単な説明】
【図１】本発明の一実施の形態の構成を示す図である。
【図２】  DVDプレーヤ／レコーダ１のハードウェア構成を示す図である。
【図３】  DVDを説明する図である。
【図４】  DVDプレーヤ／レコーダ１の装置IDを記録する処理を説明するフローチャートである。
【図５】  DVDプレーヤ／レコーダ１の再生の動作を説明するフローチャートである。
【図６】  DVDプレーヤ／レコーダ１の他のハードウェア構成を示す図である。
【図７】  DVDプレーヤ／レコーダ１にディスクIDを記録する処理を説明するフローチャートである。
【図８】  DVDプレーヤ／レコーダ１がDVD４に記録された情報を再生する処理を説明するフローチャートである。
【図９】  DVDプレーヤ／レコーダ１の他のハードウェア構成を示す図である。
【図１０】他のDVD４を説明する図である。
【図１１】  DVDプレーヤ／レコーダ１が、シール４１を貼付られたDVD４を再生する処理を説明するフローチャートである。
【図１２】  DVDプレーヤ／レコーダ１の他のハードウェア構成を示す図である。
【図１３】  DVD４を横から見た、他のシール４１の構造を説明する図である。
【図１４】  DVDプレーヤ／レコーダ１が、上層部５１および下層部５２からなるシール４１を貼付られたDVD４を再生する処理を説明するフローチャートである。
【図１５】 DVDプレーヤ／レコーダ１の他のハードウェア構成を示す図である。
【図１６】本発明の他の一実施の形態の構成を示す図である。
【図１７】  DVDプレーヤ９１のハードウェア構成を示す図である。
【図１８】  DVDプレーヤ／レコーダ１のハードウェア構成を示す図である。
【図１９】  DVDプレーヤ／レコーダ１の記録の動作を説明するフローチャートである。
【図２０】  DVDプレーヤ／レコーダ１がDVD４をフォーマットするときの処理を説明するフローチャートである。
【図２１】他のDVDプレーヤ／レコーダ１のハードウェア構成を示す図である。
【図２２】  DVDプレーヤ９１の処理を説明するフローチャートである。
【図２３】  DVDプレーヤ／レコーダ１の処理を説明するフローチャートである。
【符号の説明】
１  DVDプレーヤ／レコーダ，  ４  DVD，  １０  RAMカード，  １１  CPU，１２  ROM，  １４  記録再生部，  １８  EEPROM，  ２１  記録トラック，３１  シールデータ読み取り部，  ４１  シール，  ５１  上層部，  ５２  下層部
【図１】
0003931435.tif 000002
【図２】
0003931435.tif 000003
【図３】
0003931435.tif 000004
【図４】
0003931435.tif 000005
【図５】
0003931435.tif 000006
【図６】
0003931435.tif 000007
【図７】
0003931435.tif 000008
【図８】
0003931435.tif 000009
【図９】
0003931435.tif 000010
【図１０】
0003931435.tif 000011
【図１１】
0003931435.tif 000012
【図１２】
0003931435.tif 000013
【図１３】
0003931435.tif 000014
【図１４】
0003931435.tif 000015
【図１５】
0003931435.tif 000016
【図１６】
0003931435.tif 000017
【図１７】
0003931435.tif 000018
【図１８】
0003931435.tif 000019
【図１９】
0003931435.tif 000020
【図２０】
0003931435.tif 000021
【図２１】
0003931435.tif 000022
【図２２】
0003931435.tif 000023
【図２３】
0003931435.tif 000024